(57)【特許請求の範囲】
【請求項１】
水の注がれた水槽の上方に設置され底面に金網が張られた試料ケースに収納されたふとん試料の重量Ｗ２を予め定めた時間測定し、前記ふとん試料の重量Ｗ２が一定値になったときの重量を求め吸湿性試験を行うことを特徴とするふとんの水分移動特性の試験方法。
【請求項２】
前記ふとん試料の重量Ｗ２が一定値となったときの重量をふとん試料の単位面積当りに換算し、該換算した数値（ｇ／ｍ２）をふとんの吸湿性の評価値とすることを特徴とする請求項１に記載のふとんの水分移動特性の試験方法。
【請求項３】
底面に金網が張られふとん試料が収納された試料ケースを上方に設置し水の注がれた水槽の重量Ｗ１を予め定めた時間測定し、前記水槽の重量Ｗ１の変化速度が一定になったときの重量の変化速度を求め透湿性試験を行うことを特徴とするふとんの水分移動特性の試験方法。
【請求項４】
前記水槽の重量Ｗ１の変化速度が一定値となったときの重量の変化速度をふとん試料の単位面積・単位時間当りに換算し、該換算した数値（ｇ／ｍ２ｈ）をふとんの透湿性の評価値とすることを特徴とする請求項３に記載のふとんの水分移動特性の試験方法。
【請求項５】
水の注がれた水槽の上方に設置され底面に金網が張られた試料ケースにふとん試料を収納し予め定めた時間放置し、予め定めた時間放置後、前記ふとん試料は前記試料ケースに収納したままで前記水槽からの水分の蒸発を遮断して、予め定めた時間放置後の前記ふとん試料の重量Ｗ４を予め定めた時間測定し、前記ふとん試料の重量Ｗ４を測定し始めた瞬間における重量変化速度が維持されたと仮定した際に、前記ふとん試料の重量Ｗ４が最終的に観測される一定値になるまでにかかった時間を求め放湿性試験を行うことを特徴とするふとんの水分移動特性の試験方法。
【請求項６】
前記ふとん試料の重量Ｗ４が前記一定値になるまでにかかった時間をふとんの放湿性の評価値とすることを特徴とする請求項５に記載のふとんの水分移動特性の試験方法。
【発明の詳細な説明】
【０００１】
【発明の属する技術分野】
本発明は、ふとんの性能試験に関し、特に、ふとんの水分移動特性の試験方法に関する。
【０００２】
【従来の技術】
ふとんの吸湿性、放湿性と透湿性を水分移動特性と総称している。ふとんの吸湿性と放湿性は就寝時の快適性、寝心地に影響を及ぼすと見られている。睡眠中の人体からは一晩に１００ＣＣ程度の水分が放出されている。皮膚から蒸発した水分は一部はふとんに吸収され、一部はふとんを透過して周囲の環境に放出されていく。
【０００３】
ふとんの吸湿性や透湿性が悪いと、皮膚近傍の空気の湿度が高くなり、皮膚から出た汗は蒸発しないでそのまま皮膚に留まるか、ふとんに水滴のままで吸収されてしまう。こうなると汗の体温調節の操作機能に支障をきたし寝苦しくなる。
【０００４】
このようにふとんの性能については吸湿性、放湿性と透湿性を考えていく必要があるが、それらの試験方法は未だ確立されておらず、容易に行える簡潔で的確な試験方法が強く要望されている。
【０００５】
また、消費者においても、試験方法が確立されておらず品質表示がないためふとんの品質レベルが全く分からないという問題があり、その意味からも試験方法を確立していく必要がある。
【０００６】
【発明が解決しようとする課題】
本発明は、上記に鑑みてなされたものであって、簡潔で的確なふとんの水分移動特性の試験方法を提供することを目的とする。
【０００７】
【課題を解決するための手段】
そこで本発明のふとんの水分移動特性の試験方法は、水の注がれた水槽の上方に設置され底面に金網が張られた試料ケースに収納されたふとん試料の重量Ｗ２を予め定めた時間測定し、前記ふとん試料の重量Ｗ２が一定値になったときの重量を求め吸湿性試験を行うことを特徴とする。
【０００８】
また、前記ふとん試料の重量Ｗ２が一定値となったときの重量をふとん試料の単位面積当りに換算し、該換算した数値（ｇ／ｍ２）をふとんの吸湿性の評価値とすることを特徴とする。
【０００９】
また、底面に金網が張られふとん試料が収納された試料ケースを上方に設置し水の注がれた水槽の重量Ｗ１を予め定めた時間測定し、前記水槽の重量Ｗ１の変化速度が一定になったときの重量の変化速度を求め透湿性試験を行うことを特徴とする。
【００１０】
また、前記水槽の重量Ｗ１の変化速度が一定値となったときの重量の変化速度をふとん試料の単位面積・単位時間当りに換算し、該換算した数値（ｇ／ｍ２ｈ）をふとんの透湿性の評価値とすることを特徴とする。
【００１１】
また、水の注がれた水槽の上方に設置され底面に金網が張られた試料ケースにふとん試料を収納し予め定めた時間放置し、予め定めた時間放置後、前記ふとん試料は前記試料ケースに収納したままで前記水槽からの水分の蒸発を遮断して、予め定めた時間放置後の前記ふとん試料の重量Ｗ４を予め定めた時間測定し、前記ふとん試料の重量Ｗ４を測定し始めた瞬間における重量変化速度が維持されたと仮定した際に、前記ふとん試料の重量Ｗ４が最終的に観測される一定値になるまでにかかった時間を求め放湿性試験を行うことを特徴とする。
【００１２】
さらに、前記ふとん試料の重量Ｗ４が前記一定値になるまでにかかった時間をふとんの放湿性の評価値とすることを特徴とする。
【００１３】
【発明の実施の形態】
以下、本発明の実施の形態について説明する。
【００１４】
ふとんの水分移動特性とは、人体から出た水分がふとんの内部に移動して環境に放散していく性能で、吸湿性、透湿性と放湿性の総称である。吸湿性は、ふとんの水分移動特性のうち、ふとんが水分を吸う性能であり、透湿性は、ふとんの水分移動特性のうち、水分がふとんを透過する性能であり、放湿性は、ふとんの水分移動特性のうち、水分がふとんから放散する性能である。
【００１５】
従って、ふとんの水分移動特性試験として、ふとんの吸湿性を試験する吸湿性試験と、ふとんの透湿性を試験する透湿性試験と、ふとんの放湿性を試験する放湿性試験とを行うこととする。
【００１６】
図１は、本発明に関わるふとんの水分移動特性試験装置の全体構造を説明するための側面図を示す。ふとんの水分移動特性試験装置は、主に、蒸留水１２が入れられる水槽１０と、水槽１０の上方に独立して設置された試料ケース２０と、水槽１０の下部に設けられ支持枠１１により支持される例えば秤量２０ｋｇ、感量０．１ｇのＷ１重量計１５と、試料ケース２０を支持する支持枠２１が上部に乗せられた例えば秤量２０ｋｇ、感量０．１ｇのＷ２重量計２５と、表示器３１を有するデータ収録装置３０とで構成されている。
【００１７】
試料ケース２０は、底面に金網２２が張られふとん試料４０を収納するもので、試料ケース２０と水槽１０の間は互いに重量変化を及ぼさないように柔軟なプラスチック製のフィルム２３で上下にゆるみを付けて囲う。なお、フィルム２３は、ポリエチレン、塩化ビニル樹脂、ポリ塩化ビニリデンなどを使用する。
【００１８】
水槽１０と試料ケース２０は、それぞれ独立してＷ１重量計１５とＷ２重量計２５に乗せられており、水槽１０の重量変化とふとん試料４０の重量変化を測定することができる。
【００１９】
データ収録装置３０は、Ｗ１重量計１５とＷ２重量計２５との出力を入力し測定記録すると共に、測定記録した値より計算処理を行い、表示器３１には測定記録した値や計算処理結果を表示することができる。
【００２０】
次に、本発明のふとんの水分移動特性試験装置による水分移動特性試験（吸湿性試験、透湿性試験、放湿性試験）につき説明する。
【００２１】
水分移動特性試験はふとん試料４０に供給される水分量とふとん試料４０に吸収される水分量を測定して、その差からふとん試料４０を透過する水分量を求める方法を用いる。
【００２２】
試験に供するふとん試料４０は、測定対象のふとんから、寸法４５０ｍｍ×４５０ｍｍ（±５ｍｍ）の試料を切取り、十分乾燥させた後、標準状態に２４時間以上放置してから試験を行う。また、充てん材料が羽毛の場合は、ふとんから切り取ったときばらばらになるため、同寸法で作った袋に入れ試験を行うこととする。
【００２３】
ふとんの水分移動特性試験装置の置かれる試験室は、温度（２０±２）℃、湿度（６５±２）％とし、かつ、無風（０．１ｍ／ｓｅｃ以下）の標準状態にする。
【００２４】
試験の方法は、水槽１０から蒸発した水分が試料ケース２０の底面からふとん試料４０に供給され、一部はふとん試料４０に吸収され残りはふとん試料４０を透過して上部空間に放散されることにより行うものである。
【００２５】
１．吸湿性、透湿性試験
１）測定
標準状態の試験室内にふとんの水分移動特性試験装置を設置する。水槽１０に室温と同じ温度の蒸留水約５ｌを注ぎＷ１重量計１５とＷ２重量計２５のゼロ点を調整し、試料ケース２０にふとん試料４０を静かに収納してＷ１重量計１５が検出する水槽１０の重量とＷ２重量計２５が検出するふとん試料４０の重量の測定記録をデータ収録装置３０にて開始する。その後、７２時間の水槽１０の重量変化と、ふとん試料４０の重量変化とをデータ収録装置３０にて測定記録する。
【００２６】
２）計算
Ｗ１重量計１５が検出する水槽１０の重量をＷ１（ｇ）、Ｗ２重量計２５が検出するふとん試料４０の重量をＷ２（ｇ）とすると、ふとん試料４０を透過する水分の重量Ｗ３（ｇ）は、Ｗ１ーＷ２（ｇ）となる。
【００２７】
図２は、ふとん試料４０の重量Ｗ２（ｇ）の時間経過に対する変化を示すグラフで、吸湿性特性を示す。重量Ｗ２（ｇ）は初めは大きく変化するが、やがて変化は停止し継続して一定値となる。この７２時間の間で一定値となった重量Ｗ２（ｇ）の数値Ａ（図２に図示）をふとん試料４０の単位面積当りに換算した数値（ｇ／ｍ２）をふとんの吸湿性Ｑ１の評価値とする。
【００２８】
従って、吸湿性Ｑ１の計算は数１で行う。
【００２９】
【数１】
0004309982.tif 000002
但し、Ａ；図２に示すＷ２（ｇ）の平衡値
０．２０１５；ふとん試料４０の面積（ｍ２）
とする。
【００３０】
図３は、水槽１０の重量Ｗ１（ｇ）の時間経過に対する変化を示すグラフで、透湿性特性を示す。水槽１０の重量Ｗ１（ｇ）は初めは大きく変化するが、やがて変化速度が一定になる。このときふとん試料４０の重量Ｗ２（ｇ）も変化しなくなっているから、ふとん試料４０を透過する水分量は水槽１０の重量Ｗ１（ｇ）と一致する。この水槽１０の重量変化速度をふとんの単位面積・単位時間当りに換算した数値（ｇ／ｍ２ｈ）をふとんの透湿性Ｑ２の評価値とする。
【００３１】
従って、透湿性Ｑ２の計算は数２で行う。
【００３２】
【数２】
0004309982.tif 000003
但し、Ｃ／Ｂ；図３に示すＷ１（ｇ）の勾配値（ｇ／ｈ）
但し、Ｂは１２時間以上とする。
０．２０１５；ふとん試料４０の面積（ｍ２）
とする。
【００３３】
２．放湿性試験
１）測定
吸湿性または透湿性試験において水分を吸湿したふとん試料４０を、標準状態の試験室内のふとんの水分移動特性試験装置に収納したままで、水槽１０からの水分の蒸発を遮断して、Ｗ２重量計２５より検出するふとん試料４０の重量Ｗ４（ｇ）をデータ収録装置３０にて測定記録する。
【００３４】
２）計算
図４は、ふとん試料４０の重量Ｗ４（ｇ）の時間経過に対する変化を示すグラフであり、吸湿性特性を示す。ふとん試料４０の重量Ｗ４（ｇ）は、初めは大きく変化するが、やがて変化しなくなる。この時間的変化から時定数Ｔ（ｈ）を求めて、ふとんの放湿性Ｑ３の評価値とする。
【００３５】
従って、放湿性Ｑ３は、Ｑ３＝Ｔ（ｈ）とする（時定数Ｔは図４に示す）。
【００３６】
以上の試験の記録は、
ａ）試験室の条件：  湿度、温度
ｂ）ふとん試料４０  試料の名称、充填物の材質、充填量、側生地の材質、寸法など
ｃ）測定結果  ふとん試料４０の吸湿性（ｇ／ｍ２）、透湿性（ｇ／ｍ２ｈ）、放湿性（ｈ）
の項目を行うこととする。
【００３７】
以上述べたごとく、吸湿性試験は、ふとん試料４０の重量が一定値になったときの値を求め、透湿性試験は、水槽１０の重量の変化速度が一定になったときの値を求め、放湿性試験は、試料ケースにふとん試料を収納し予め定めた時間放置後のふとん試料４０の重量の時間的変化から時定数Ｔを求め行っている。
【００３８】
従って、試験モータなどの動力源や熱源を使うことなく、また、人手を要することなく、簡潔な装置を使用し、極めて簡潔な方法で的確に水分移動特性試験を行うことができる。
【００３９】
また、本試験方法の確立により品質表示が可能になり、消費者においても、ふとんの品質レベルを知るようにすることができる。
【００４０】
なお、上記実施例の試験方法はふとんの性能試験について述べたが、これに限定されることなく織物や不織布などに広く適用することもできる
【発明の効果】
本発明のふとんの水分移動特性の試験方法は、水の注がれた水槽の上方に設置され底面に金網が張られた試料ケースに収納されたふとん試料の重量Ｗ２を予め定めた時間測定し、前記ふとん試料の重量Ｗ２が一定値になったときの値を求め吸湿性試験を行うため、試験モータなどの動力源や熱源を使うことなく、また、人手を要することなく、簡潔な装置を使用し、極めて簡潔な方法で的確に水分移動特性試験を行うことができる。
【００４１】
また、前記ふとん試料の重量Ｗ２が一定値となったときの値をふとん試料の単位面積当りに換算し、該換算した数値（ｇ／ｍ２）をふとんの吸湿性の評価値とするため、ふとんの吸湿性の評価を的確に行うようにすることができる。
【００４２】
また、底面に金網が張られふとん試料が収納された試料ケースを上方に設置し水の注がれた水槽の重量Ｗ１を予め定めた時間測定し、前記水槽の重量Ｗ１の変化速度が一定になったときの値を求め透湿性試験を行うため、試験モータなどの動力源や熱源を使うことなく、また、人手を要することなく、簡潔な装置を使用し、極めて簡潔な方法で的確に水分移動特性試験を行うことができる。
【００４３】
また、前記水槽の重量Ｗ１の変化速度が一定値となったときの値をふとん試料の単位面積・単位時間当りに換算し、該換算した数値（ｇ／ｍ２ｈ）をふとんの透湿性の評価値とするため、ふとんの透湿性の評価を的確に行うようにすることができる。
【００４４】
また、水の注がれた水槽の上方に設置され底面に金網が張られた試料ケースにふとん試料を収納し予め定めた時間放置し、予め定めた時間放置後、前記ふとん試料は前記試料ケースに収納したままで前記水槽からの水分の蒸発を遮断して、予め定めた時間放置後の前記ふとん試料の重量Ｗ４を予め定めた時間測定し、前記ふとん試料の重量Ｗ４の時間的変化から時定数Ｔを求め放湿性試験を行うため、試験モータなどの動力源や熱源を使うことなく、また、人手を要することなく、簡潔な装置を使用し、極めて簡潔な方法で的確に水分移動特性試験を行うことができる。
【００４５】
さらに、前記ふとん試料の重量Ｗ４の時間的変化から求めた時定数Ｔをふとんの放湿性の評価値とするため、ふとんの放湿性の評価を的確に行うようにすることができる。
【００４６】
これらの試験方法の確立により品質表示が可能になり、消費者においても、ふとんの品質レベルを容易に知るようにすることができる。
【図面の簡単な説明】
【図１】本発明に関わるふとんの水分移動特性試験装置の全体構造を説明するための側面図を示す。
【図２】ふとん試料の重量Ｗ２（ｇ）の時間経過に対する変化を示すグラフで、吸湿性特性を示す。
【図３】水槽の重量Ｗ１（ｇ）の時間経過に対する変化を示すグラフで、透湿性特性を示す。
【図４】ふとん試料の重量Ｗ４（ｇ）の時間経過に対する変化を示すグラフで、放湿性特性を示す。
【符号の説明】
１０  水槽
１２  蒸留水
１５  Ｗ１重量計
２０  試料ケース
２２  金網
２３  フイルム
２５  Ｗ２重量計
３０  データ収録装置
４０  ふとん試料
【図１】
0004309982.tif 000004
【図２】
0004309982.tif 000005
【図３】
0004309982.tif 000006
【図４】
0004309982.tif 000007